(57)【要約】【課題】ものさしや切断器を各々携行することなしに、紐様物品の長さを測定し資源や作業時間を有効活用する。【解決手段】紐様物品と巻尺を一緒に格納し、利用者が手指で紐様物品と巻尺を同時に握り一緒に伸ばすことで、巻尺の長さとほぼ同じ長さの紐様物品を引き出す。さらに巻尺の目盛を頼りに紐様物品を切断することで、利用者が欲しい長さの紐様物品を得る。【選択図】図１
2008076371.tif 000002
【特許請求の範囲】
【請求項１】
利用者が手指で紐乃至は帯乃至は糸とその長さを計測する巻尺を同時に保持する事が出来、かつ保持したまま同方向に一緒に伸ばせることを特徴とする紐乃至は帯乃至は糸の格納器。
【請求項２】
巻尺の目盛が見える位置に紐乃至は帯乃至は糸の切断器を具備したことを特徴とする請求項１の紐乃至は帯乃至は糸の格納器。
【請求項３】
巻尺の目盛が見える位置に紐乃至は帯乃至は糸の目印付け器を具備したことを特徴とする請求項１及び請求項２の紐乃至は帯乃至は糸の格納器。
【請求項４】
定型書類の束の厚さを計測する厚さ計測部を具備して成ることを特徴とする請求項１及び請求項２及び請求項３の紐乃至は帯乃至は糸の格納器。
【請求項５】
巻尺の目盛部に定型書類の束の厚みに対応した結束に必要な長さの目印を記載したことを特徴とする請求項１及び請求項２及び請求項３及び請求項４の紐乃至は帯乃至は糸の格納器。
【発明の詳細な説明】
【技術分野】
【０００１】  本発明は、荷造り用紐や包装用帯や裁縫糸あるいは釣り糸などの格納器に関するものである。
以降、紐乃至は帯乃至は糸を総称して紐様物品と呼称する。
【背景技術】
【０００２】  従来、紐様物品を長さを測って切断する場合は、長く伸ばした紐様物品にものさしを当てて計測し鋏などで切断していた。また、近くにものさしがない場合は、目検討で適当な長さに切断することがしばしばあった。
【発明の開示】
【発明が解決しようとする課題】
【０００３】  そのため、次のような問題点があった。
（イ）目検討に頼る場合、紐様物品が短くなって結束することが出来なかったり、逆に長くなりすぎて余分が出来てしまうことで、資源や時間の有効利用という点で劣っていた。
（ロ）ものさしで測る場合は、ものさしと紐様物品および切断器とを携行する必要があり、煩わしかった。
本発明は以上の問題点を解決しようとするものである。
【課題を解決するための手段】
【０００４】  利用者が手指で紐様物品とその長さを計測する巻尺を同時に保持し、保持したまま同方向に一緒に伸ばすことで、巻尺の長さとほぼ同じ長さの紐様物品を引き出すことができる。さらに巻尺の目盛を頼りに紐様物品を切断することで、利用者が欲しい長さの紐様物品を得ることができる。このとき紐様物品と巻尺を一緒に格納しておくことで、従来のようにものさしを手元においておく必要がなくなる。
また、マジックインクペンで形成した目印付け器を巻尺の目盛が見える位置に設けることで、切断後の紐様物品に利用者の意図した長さ毎に目印をつけることができる。
さらに、ほぼ同じ形状の書類の束の厚さを測定可能としておく測定器を設けておく。
以上を特徴とする紐様物品格納器である。
【発明の効果】
【０００５】  本発明は、紐様物品と紐様物品の長さ測定器および紐様物品の切断器を手元に確保することで、それらの物品をばらばらに揃える煩わしさをなくすことができる。
また、紐様物品に目印をつけられる構造の場合は、利用者は意図した長さ毎の目印を頼りに二度とものさしを見ることなしに作業を行うことができる。
また、ほぼ同じ形状の書類の束の厚さを測定可能な構造の場合は紐様物品の切断位置を間違えて無駄にしてしまう確率を低くすることができる。
【発明を実施するための最良の形態】
【０００６】  以下、本発明の実施の形態について説明する。
（イ）格納器本体（１）の内部に自動巻き取り型巻尺格納器（２）と糸巻き（３）を設置する。巻尺出口（５）から巻尺（１０）を外に出す。紐様物品出口（６）から紐様物品（１１）を外に出し、紐様物品ガイド（７）を通しておく。紐様物品（１１）は巻尺（１０）の先端部に設けられたクリップ（１２）で保持しておく。紐様物品（１１）を切断するための切断器（８）や紐様物品（１１）に目印を付けるための目印付け器（９）を巻尺（１０）の目盛がよく見える位置に配置しておく。
（ロ）前記（イ）の形態に加え、書類の束の厚さを計測する厚さ計測器（１４）を配置する。この厚さ計測器（１４）は厚さ計測器ヒンジ（１５）の部分で折れ曲がるようにしておく。
本発明は以上のような構造からなっている。
前記（イ）の構造を使用するときは、利用者が手指で紐様物品（１１）と巻尺（１０）を掴んで手前方向に手繰り寄せることで、紐様物品（１１）を格納器本体（１）から引き出す。引き出している最中に利用者が意図する長さで目印付け器（９）を用いて紐様物品（１１）に目印をつけることができる。また、必要な長さの紐様物品（１１）が引き出せたならば、巻尺（１０）の目盛をみながら切断器（８）で紐様物品（１１）を切断して利用する。利用者が巻尺（１０）から手を離せば、自動巻き取り型巻尺格納器（２）の能力で巻尺（１０）は巻尺出口（５）の位置までもどる。クリップ（１２）に紐様物品（１１）を挟んでおけば、風で飛ばされる危険がへる。
前記（ロ）の構造は束ねた古新聞などの定型書類を結束するときに有効な構造である。古新聞の束を十字状に交差させて結束する場合の様子を図３に示す。図３の太い実線が紐様物品であり、縦をＬ、横をＷ、厚さをＨ、結びしろをＦとすれば、結束に必要な長さＡは（式１）で算出できる。
（式１）Ａ＝２Ｌ＋２Ｗ＋４Ｈ＋２Ｆ
四つ折りの新聞紙を束ねる場合であれば、Ｌは約２７ｃｍ、Ｗは約２０ｃｍであり、結びしろＦを１５ｃｍとすれば、（式１）にあてはめて、厚さを除く部分の長さは１２４ｃｍ必要であることがわかる。よって、厚さＨを計測してやれば、結束に必要な長さＡを求めることが可能である。たとえば５ｃｍ間隔で厚みを変えて行くと下表に示す長さが必要であることが分かる。
2008076371.tif 000003
2008076371.tif 000004
そこで、利用者は古新聞の束の高さを同じ床面に置いた格納器本体（１）の厚さ計測器（１４）で計測する。前記（式１）に当てはめて引き出す長さを決め、巻尺（１０）とともに紐様物品（１１）を引き出して、巻尺（１０）の目盛を元に切断器（８）で切断することで、最適な長さの結束用の紐を得ることができる。このように正確に長さを計測することもできるが、極端に紐が長くなったり、足りなくなったりしなければ十分と考えるのであれば、厚さ５ｃｍ毎などの概ね必要長さの目印をあらかじめ巻尺の目盛部分につけておくことで、計算をする必要が無くなりすばやく作業することができる。
【図面の簡単な説明】
【０００７】
【図１】本発明の斜視図
【図２】古新聞を結束するのに適した本発明の斜視図
【図３】古新聞を結束するのに必要な紐様物品の長さを説明するための斜視図
【符号の説明】
【０００８】１−格納器本体
２−自動巻き取り型巻尺格納器
３−紐様物品巻き
４−芯支持体
５−巻尺出口
６−紐様物品出口
７−紐様物品ガイド
８−切断器
９−目印付け器
１０−巻尺
１１−紐様物品
１２−クリップ
１３−紐様物品ダマ
１４−厚さ計測器
１５−厚さ計測器ヒンジ
１６−開閉蓋
１７−蓋ヒンジ
【図１】
2008076371.tif 000005
【図２】
2008076371.tif 000006
【図３】
2008076371.tif 000007